(57)【要約】  【課題】  カバーを直線性良く上方に付勢できる照明器具を提供する。  【解決手段】  本体１の上面に吊下コード１０を設けるとともにその上端に接続器４を設け、さらにこの接続器４の下面側を覆うカバー(第一天井カバー５及び第二天井カバー６)を前記吊下コード１０の外周に設けている。そして、前記吊下コード１０の外周に金属など剛性の筒体３を設けるとともに、この筒体３の外周にコイルバネ１１を巻装し、このコイルバネ１１により前記カバーを上方に付勢している。なお、カバーとしては、第一天井カバー５及び第二天井カバー６の二つで構成したが、この部分のカバーとしては周知のように一つのカバーで構成してももちろんよい。【選択図】  図１
2005142059.tif 000002
【特許請求の範囲】
【請求項１】
本体の上面に吊下コードを設けるとともにその上端に接続器を設け、さらにこの接続器の下面側を覆うカバーを前記吊下コードの外周に設けた照明器具であって、前記吊下コードの外周に剛性の筒体を設けるとともに、この筒体の外周にコイルバネを巻装し、このコイルバネにより前記カバーを上方に付勢した照明器具。
【発明の詳細な説明】
【技術分野】
【０００１】
本発明は、吊下コード式の照明器具に関する。
【背景技術】
【０００２】
本体の上面に吊下コードを設けるとともにその上端に接続器を設け、さらにこの接続器の下面側を覆うカバーを前記吊下コードの外周に設けた照明器具は極めて一般的である。そして詳しくは、そのようなカバーは係止爪によりコードに上下動可能に係止されている。
【発明の開示】
【発明が解決しようとする課題】
【０００３】
しかし、カバーを動かすとその係止爪の食い込みによりコードに傷が付いたり、照明器具を天井面に予め設けられた引掛ローゼットに吊り下げ接続した後、そのカバーをいちいち押し上げる必要があったり、コードの屈曲ぐせによりカバーの姿勢が傾いたりしていた。本発明はこのような解決すべき課題を鑑み、カバーを直線性良く上方に付勢できる照明器具を提供することを目的とする。
【課題を解決するための手段】
【０００４】
本発明を要約すると、本体の上面に吊下コードを設けるとともにその上端に接続器を設け、さらにこの接続器の下面側を覆うカバーを前記吊下コードの外周に設けた照明器具であって、前記吊下コードの外周に剛性の筒体を設けるとともに、この筒体の外周にコイルバネを巻装し、このコイルバネにより前記カバーを上方に付勢した照明器具である。
【発明の効果】
【０００５】
本発明によれば、コイルバネが剛性の筒体に沿って直線性良く上方に付勢されるため、カバーが実質的に傾かずに体裁良く支持される。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、本体１の上面に吊下コード１０を設けるとともにその上端に接続器４を設け、さらにこの接続器４の下面側を覆うカバー(第一天井カバー５及び第二天井カバー６)を前記吊下コード１０の外周に設けた照明器具である。そして、前記吊下コード１０の外周に金属など剛性の筒体３を設けるとともに、この筒体３の外周にコイルバネ１１を巻装し、このコイルバネ１１により前記カバーを上方に付勢している。なお、カバーとしては、第一天井カバー５及び第二天井カバー６の二つで構成したが、この部分のカバーとしては周知のように一つのカバーで構成してももちろんよい。
【０００８】
また、本体１の上面に二重環型など環状の蛍光ランプ２を設けるとともに、この蛍光ランプ２の略中心に前記本体１の筒体としての吊下具３を設け、この吊下具３の上端に接続器４を設けた照明器具である。そして、前記吊下具３の外周に円形を好適としたリング状の第一天井カバー５及び第二天井カバー６を同軸状に設け、第一天井カバー５の外径は前記蛍光ランプ２の内径より小さく、第二天井カバー６の外径は前記蛍光ランプ２の内径より大きく、その内径をなす孔７は前記接続器４が通過できるように設定されている。これにより、環状の蛍光ランプ２の内径よりも天井カバー６の外径を大きくしても蛍光ランプ２が交換可能となり、間接照明効果が期待される照明器具に極めて有用である。さらに好適には、第二天井カバー６の孔７は、接続器４の短径部幅D1より広い幅の狭幅部８及び広幅部９で連続的に形成されるとともに、その全周に渡って前記接続器４の長径部幅D2より小さい内径を成している。これにより、第二天井カバー６の孔７は、狭幅部８もあり、全周に渡って接続器４の長径部幅D2より小さい内径を成しているため、本照明器具の取り付け・取り外しなどの取り扱いの際に、第二天井カバー６が不用意に接続器４から上方に脱落してしまう可能性が小さい。
【０００９】
さらに詳述すれば、天井面１２には丸型引掛ローゼット１３が予め設けられ、第一天井カバー５及び第二天井カバー６は、丸型引掛ローゼット１３の下面側を実質的に覆うように構成されている。第二天井カバー６の内周縁部は例えば第一天井カバー５の外周縁部に載置支持され、第一天井カバー５の内周縁部は例えばコイルバネ１１の上端縁に支持されている。
【００１０】
吊下具３の下端は本体１の略中央に直接、または何らかの介在部材などを介して固定され、吊下コード１０は吊下具３の内部に貫通されてその下端から本体１の内部に引き込まれている。本体１の上面には蛍光ランプ２の下面と側面を実質的に覆う皿状で光反射性の良い反射部材１４が固定され、反射部材１４の内底面には蛍光ランプ２に給電するランプソケット１５と蛍光ランプ２を支持するランプ支持バネ１６が設けられている。また、本体１の下面側には直接照明となる環状の蛍光ランプ１７と、この蛍光ランプ１７を覆って本体１に着脱可能とされた透光性のグローブ１８が設けられる。
【００１１】
蛍光ランプ２を交換するときは、第一天井カバー５及び第二天井カバー６をコイルバネ１１の上方付勢力に逆らって下げてから、接続器４を引掛ローゼット１３から取り外して、本照明器具を床面などに置く。そうすると図２及び図３の状態になる。ここで、第二天井カバー６を回転して図２のように接続器４と孔７の方向を合わせる。そして、第二天井カバー６を広幅部９の方向(図２の上方向)にずらしつつ斜めに引き上げ、場合によっては接続器４の同方向寄り部分を斜め下向きに下げて(コード１０の柔軟性によりコード１０が屈曲可能なため)、接続器４の一側を広幅部９にくぐらせてから接続器４全体を孔７に通過させて、図４の状態とする。そうすると、図５のように蛍光ランプ２を第一天井カバー５から上方に取り出せることが容易に理解される。そして、新たな蛍光ランプを逆の手順にて交換できるようになる。なお、接続器４の最大幅D2は蛍光ランプ２の内径よりも小さいのは図より明らかであるが、接続器４はコード１０で支持されるゆえに斜めにしやすいので、必ずしもこの条件を必要とはしない。
【００１２】
本実施形態によれば、吊下コード１０は柔軟性があり屈曲ぐせが残っている場合があるが、その周りに剛性の筒体３があるため、コイルバネ１１が剛性の筒体３に沿って直線性良く上方に付勢されるため、カバー５、６が実質的に傾かずに体裁良く支持される。
【図面の簡単な説明】
【００１３】
【図１】本発明の実施形態を示す断面図
【図２】同要部上面図
【図３】同斜視図
【図４】同蛍光ランプ取り外し過程の斜視図
【図５】同蛍光ランプ取り外し状態の斜視図
【符号の説明】
【００１４】
１  本体
２  蛍光ランプ
３  筒体(吊下具)
４  接続器
５  第一天井カバー(カバー)
６  第二天井カバー(カバー)
７  孔
８  狭幅部
９  広幅部
１０  吊下コード
１１  コイルバネ
【図１】
2005142059.tif 000003
【図２】
2005142059.tif 000004
【図３】
2005142059.tif 000005
【図４】
2005142059.tif 000006
【図５】
2005142059.tif 000007